【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
ファイルシステムによってランダムアクセス可能な記録媒体に記録されたデータファイルを管理するデータファイル管理装置であって、
前記データファイルを、共通する属性によってグループ化し、当該グループを前記属性の階層に応じた階層構造で管理する管理手段を有し、
前記管理手段が、
上位属性が共通なグループ又はそのグループに属するファイルの数が所定数以上となったかどうかを検出する第１の判定手段と、
前記第１の判定手段により前記上位属性が共通なグループ又はそのグループに属するファイルの数が所定数以上となったことが検出された場合、当該グループ又はそのグループに属するファイルの上位属性のグループを前記上位属性が共通なグループ又はそのグループの上位階層として生成する階層挿入手段とを有することを特徴とするファイル管理装置。
【請求項２】
前記第１の判定手段は、前記記録媒体へのデータファイル記録が行われた際、上位属性が共通なグループ又はそのグループに属するファイルの数が前記所定数以上となったかどうかを検出することを特徴とする請求項１記載のファイル管理装置。
【請求項３】
前記管理手段が、
前記記録媒体からのデータファイル削除が行われた際、下位階層のグループ又はそのグループに属するファイルの数が前記所定数未満となった上位階層グループが存在するかどうかを検出する第２の判定手段と、
前記第２の判定手段により前記下位階層のグループ又はそのグループに属するファイルの数が前記所定数未満となった上位階層グループが検出された場合、当該上位階層グループを削除する階層削除手段とを有することを特徴とする請求項１記載のファイル管理装置。
【請求項４】
前記管理手段が、前記データファイルを、前記記録媒体に記録された日時を属性として管理することを特徴とする請求項１乃至請求項３のいずれか１項に記載のファイル管理装置。
【請求項５】
前記管理手段が、前記データファイルを、前記記録媒体に記録された際の地理的情報を属性として管理することを特徴とする請求項１乃至請求項３のいずれか１項に記載のファイル管理装置。
【請求項６】
前記グループとその上位属性との関係をユーザが任意に設定するための設定手段を備えたことを特徴とする請求項１記載のファイル管理装置。
【請求項７】
ファイルシステムによってランダムアクセス可能な記録媒体に記録されたデータファイルを、共通する属性によってグループ化し、当該グループを前記属性の階層に応じた階層構造で管理する管理手段を有するファイル管理装置であって、
前記データファイルまたはグループの一覧を、前記階層構造に従って階層毎に表示する表示制御手段を有し、
前記表示制御手段が、
前記階層のうちの一つに属するグループの１つ下の階層の表示を行う際、前記１つ下の階層に１つのグループのみが含まれる場合には、前記１つ下の階層の表示を行わず、前記１つ下の階層より下位で、かつデータファイルが１つ以上存在するか、グループが２つ以上存在する直近の階層に属する前記データファイルまたはグループを表示することを特徴とするファイル管理装置。
【請求項８】
前記表示制御手段が、前記１つ下の階層の表示を行わなかった場合に、その旨を表すメッセージを表示することを特徴とする請求項７記載のファイル管理装置。
【請求項９】
ファイルシステムによってランダムアクセス可能な記録媒体に映像及び音声データファイルを記録する記録装置であって、
請求項１乃至請求項８のいずれか１項に記載のファイル管理装置を有することを特徴とする記録装置。
【請求項１０】
ファイルシステムによってランダムアクセス可能な記録媒体に記録されたデータファイルを管理するデータファイル管理装置の制御方法であって、
前記データファイルを、共通する属性によってグループ化し、当該グループを前記属性の階層に応じた階層構造で管理する管理ステップを有し、
前記管理ステップが、
上位属性が共通なグループ又はそのグループに属するファイルの数が所定数以上となったかどうかを検出する判定ステップと、
前記判定ステップにより前記上位属性が共通なグループ又はそのグループに属するファイルの数が所定数以上となったことが検出された場合、当該グループ又はそのグループに属するファイルの上位属性のグループを前記上位属性が共通なグループ又はそのグループの上位階層として生成する階層挿入ステップとを有することを特徴とするファイル管理装置の制御方法。
【請求項１１】
ファイルシステムによってランダムアクセス可能な記録媒体に記録されたデータファイルを、共通する属性によってグループ化し、当該グループを前記属性の階層に応じた階層構造で管理する管理手段を有するファイル管理装置の制御方法であって、
前記データファイルまたはグループの一覧を、前記階層構造に従って階層毎に表示する表示制御ステップを有し、
前記表示制御ステップが、
前記階層のうちの一つに属するグループの１つ下の階層の表示を行う際、前記１つ下の階層に１つのグループのみが含まれる場合には、前記１つ下の階層の表示を行わず、前記１つ下の階層より下位で、かつデータファイルが１つ以上存在するか、グループが２つ以上存在する直近の階層に属する前記データファイルまたはグループを表示することを特徴とするファイル管理装置の制御方法。
【手続補正２】
【補正対象書類名】明細書
【補正対象項目名】発明の名称
【補正方法】変更
【補正の内容】
【発明の名称】ファイル管理装置及びその制御方法並びに記録装置
【手続補正３】
【補正対象書類名】明細書
【補正対象項目名】０００１
【補正方法】変更
【補正の内容】
【０００１】
本発明は、データファイルを管理するファイル管理装置及びその制御方法に関し、特に、ランダムアクセス可能な記録媒体内に含まれるデータファイルを管理するファイル管理装置及びその制御方法に関する。
本発明はまた、ファイル管理装置を有する記録装置に関する。
【手続補正４】
【補正対象書類名】明細書
【補正対象項目名】００２０
【補正方法】変更
【補正の内容】
【００２０】
上述の目的は、ファイルシステムによってランダムアクセス可能な記録媒体に記録されたデータファイルを管理するデータファイル管理装置であって、データファイルを、共通する属性によってグループ化し、当グループを属性の階層に応じた階層構造で管理する管理手段を有し、管理手段が、上位属性が共通なグループ又はそのグループに属するファイルの数が所定数以上となったかどうかを検出する第１の判定手段と、第１の判定手段により上位属性が共通なグループ又はそのグループに属するファイルの数が所定数以上となったことが検出された場合、当グループ又はそのグループに属するファイルの上位属性のグループを上位属性が共通なグループ又はそのグループの上位階層として生成する階層挿入手段とを有することを特徴とするファイル管理装置によって達成される。
【手続補正５】
【補正対象書類名】明細書
【補正対象項目名】００２３
【補正方法】変更
【補正の内容】
【００２３】
また、上述の目的は、ファイルシステムによってランダムアクセス可能な記録媒体に記録されたデータファイルを管理するデータファイル管理装置の制御方法であって、データファイルを、共通する属性によってグループ化し、当グループを属性の階層に応じた階層構造で管理する管理ステップを有し、管理ステップが、上位属性が共通なグループ又はそのグループに属するファイルの数が所定数以上となったかどうかを検出する判定ステップと、判定ステップにより上位属性が共通なグループ又はそのグループに属するファイルの数が所定数以上となったことが検出された場合、当グループ又はそのグループに属するファイルの上位属性のグループを上位属性が共通なグループ又はそのグループの上位階層として生成する階層挿入ステップとを有することを特徴とするファイル管理装置の制御方法によっても達成される。